(57)【特許請求の範囲】
【請求項１】
閾値より大きい受信信号強度の受信信号を感知した場合、当該受信信号の周波数を自動記憶する機能を有した無線通信機において、
横軸は周波数、縦軸に受信信号強度とし、特定の周波数を中心に前後に周波数スキャンを行い、受信周波数と受信信号強度の表示を行う表示手段と、
前記閾値を設定するユーザ操作手段と、
前記ユーザ操作手段によって設定された閾値を記憶する第１の記憶手段と、
前記第１の記憶手段に記憶された閾値より大きい受信信号強度の受信信号を感知した場合、当該受信信号の周波数を自動的に記憶する第２の記憶手段と、
前記表示手段に受信信号強度の前記閾値を設定するためのバーを設け、前記ユーザー操作手段によって前記閾値を設定する際、前記バーを上下に移動させて設定する手段と、を具備したことを特徴とする無線通信機。
【発明の詳細な説明】
【０００１】
【発明の属する技術分野】
本発明は、周波数自動メモリ機能を具備した無線通信機に関する。
【０００２】
【従来の技術】
図４に、従来の無線通信機における周波数スキャン時の動作フローチャートを示す。図４に示すように、周波数自動メモリ機能をＯＮし、周波数スキャンを開始すると（Ｓ４０１）、スキャン対象の周波数をＵＰする（Ｓ４０３）。Ｓ４０３でＵＰした周波数の受信信号があるか否か確認し（Ｓ４０５）、ない場合には、スキャン対象の周波数ＵＰ（Ｓ４０３）に戻る。Ｓ４０５で受信信号が確認された場合には、当該受信信号の信号強度が閾値より大きいか否か確認する（Ｓ４０７）。その結果、閾値以下であればスキャン対象の周波数ＵＰ（Ｓ４０３）に戻る。Ｓ４０７の結果、閾値より大きい場合には、メモリチャネルに周波数を記憶する（Ｓ４０９）。そして、メモリチャネルの空き容量が０であるか否か確認し（Ｓ４１１）、０であれば処理を終了する。０でなければ、スキャン対象の周波数ＵＰ（Ｓ４０３）に戻る。
【０００３】
しかしながら、図４に示すように、従来の無線通信機では受信信号強度の閾値が一定なため、「使用者が保存を希望しない信号が弱く受信音がほとんど聞こえないような周波数」「１つの相手局の前後の周波数」まで自動的に保存されることがあり、保存されたメモリチャネルの大部分が有効に活用できないという問題があった。
【０００４】
【発明が解決しようとする課題】
本発明は上記従来技術に鑑み、使用者の設定により、使用者が必要とする受信信号強度の周波数のみ自動的に記憶することのできる無線通信機を提供することを目的とする。
また、本発明は、不用意にメモリチャネルに記憶することをなくし、メモリチャネルの記憶容量を有効利用し、長時間自動メモリを動作させることのできる無線通信機を提供することを目的とする。
また、本発明は、スペクトラム・アナライザ的なスキャン表示画面にバーを設定することで、使用者が現在の電波状況を確認しながら、自動メモリしたい受信信号強度を視覚的に決定することのできる無線通信機を提供することを目的とする。
【０００５】
【課題を解決するための手段】
上記課題を解決するため、本発明は、閾値より大きい受信信号強度の受信信号を感知した場合、当該受信信号の周波数を自動記憶する機能を有した無線通信機に、横軸は周波数、縦軸に受信信号強度とし、特定の周波数を中心に前後に周波数スキャンを行い、受信周波数と受信信号強度の表示を行う表示手段と、閾値を設定するユーザ操作手段と、ユーザ操作手段によって設定された閾値を記憶する第１の記憶手段と、第１の記憶手段に記憶された閾値より大きい受信信号強度の受信信号を感知した場合、当該受信信号の周波数を自動的に記憶する第２の記憶手段と、前記表示手段に受信信号強度の前記閾値を設定するためのバーを設け、前記ユーザー操作手段によって前記閾値を設定する際、前記バーを上下に移動させて設定する手段と、を具備したことを特徴とする。
【０００６】
【発明の実施の形態】
次に図１乃至図３を参照して本発明による無線通信機の実施の形態を詳細に説明する。ここで、図１は本発明の実施の形態としての無線通信機を示す機能ブロック図、図２は本発明の実施の形態を説明する無線通信機の動作フローチャートである。また、図３は表示部２２の閾値設定時の画面状態である。
なお、ここでいう「（周波数）自動メモリ」とは、閾値より大きい受信信号強度の受信信号を感知した場合、当該受信信号の周波数を自動的にメモリに記憶する機能を指す。
【０００７】
図１を参照すると、本発明を無線通信機に適用した実施の形態を示す機能ブロック図が示されている。同図において、アンテナが接続される送受信回路部１０は、無線通信機における送受信処理を、ＣＰＵを内蔵した制御部１２に制御されることにより行う回路である。すなわち、送受信回路部１０は音声メッセージや制御信号等を変調してアンテナより送出したり、アンテナより受信した音声メッセージや制御信号等を復調して制御部１２に出力する。
【０００８】
制御部１２は、例えばフラッシュメモリ１４に記憶されたプログラムやデータに従って、キー操作部２４および送受信回路部１０からの制御信号により動作し、送受信回路部１０、表示部ドライバ１８および音声処理部２６を制御する。また、制御部１２はＲＡＭ１６に接続され、ＲＡＭ１６をフラッシュメモリ１４に記憶されたプログラムを実行するときのワークエリアとして使用する。フラッシュメモリ１４は、メモリチャネルとしても用いられ、後述するように受信信号強度の大きい周波数を記憶するときなどに使用される。
【０００９】
表示部ドライバ１８は制御部１２の制御に従って表示部２２を駆動してこれの表示を行う。すなわち、表示部ドライバ１８は、制御部１２からの制御信号に対応する文字情報等をフラッシュメモリ１４から読み出し、表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。また、外付けスピーカとしてスピーカ３６を接続することも可能であり、制御部１２からの制御信号に応じて音声信号を出力することができる。
【００１０】
本実施の形態では後述する方法で受信信号強度の閾値を使用者が設定し、当該閾値を記憶領域（ＲＡＭ１６、フラッシュメモリ１４等）に記憶しておく。そして、アンテナ４０で当該閾値より大きい信号強度の受信信号を感知した場合には、その受信信号の周波数をメモリチャネル（ＲＡＭ１６、フラッシュメモリ１４等）に記憶する。
【００１１】
図３は受信信号強度の閾値を設定するときの表示部２２の表示例である。同図のスケール３０３全体がスキャンしたい周波数帯に相当し、スケール３０３の横軸は周波数を示し、１つの目盛りは無線通信機を操し、送受信周波数の変更をするために設定した、周波数の変化量と同じ変化量である。各周波数の受信信号強度は縦軸方向にレベル表示される。このように、表示部２２はスペクトラム・アナライザ的なスキャン表示を行うため、使用者は現在の電波状況を確認しながら、自動メモリしたい受信信号強度を視覚的に決定できるようになっている。同図左上に表示されている数値（１４４．０００）はスキャンしたい周波数帯の中心周波数を意味しており、この画面では、周波数１４４ＭＨｚの前後の周波数スキャンをしながらメモリチャネルに記憶する受信信号強度の閾値を設定する。使用者はキー操作部２４を用いてバー３０１を上下させることにより、受信信号強度の閾値を変更できる。具体的には、バー３０１を上に移動させると受信信号強度の閾値が高くなり、バー３０１を下に移動させると受信信号強度の閾値が低くなることが好ましい。
【００１２】
図２は、図１に示した無線通信機の周波数スキャン時の動作フローチャートである。図２に示すように、周波数自動メモリ機能をＯＮし、周波数スキャンを開始すると（Ｓ２０１）、バー３０１の上下による閾値の変更があるか否か確認する（Ｓ２０３）。Ｓ２０３の結果、変更があれば変更後の閾値を設定し（Ｓ２０５）、スキャン対象の周波数をＵＰする（Ｓ２０７）。閾値の変更がなければ、そのままスキャン対象の周波数をＵＰする（Ｓ２０７）。
【００１３】
続いて、表示部２２に受信信号強度のスペクトラム表示を行う（Ｓ２０８）。Ｓ２０７でＵＰした周波数の受信信号強度が０を超えているか否か確認し（Ｓ２０９）、超えていない場合には、スキャン開始状態（Ｓ２０１）に戻る。Ｓ２０９で０を超えていた場合には、当該受信信号の信号強度が閾値より大きいか否か確認する（Ｓ２１１）。その結果、閾値以下であればスキャン開始状態（Ｓ２０１）に戻る。Ｓ２１１の結果、閾値より大きい場合には、メモリチャネルに周波数を記憶する（Ｓ２１３）。そして、メモリチャネルの空き容量が０であるか否か確認し（Ｓ２１５）、０であれば処理を終了する。０でなければ、スキャン開始状態（Ｓ２０１）に戻る。
【００１４】
【発明の効果】
このように、本発明によれば、使用者の設定により、使用者が必要とする受信信号強度の周波数のみ自動的に記憶することのできる無線通信機を提供することが可能である。
また、本発明によれば、不用意にメモリチャネルに記憶することをなくし、メモリチャネルの記憶容量を有効利用し、長時間自動メモリを動作させることのできる無線通信機を提供することが可能である。
また、本発明は、スペクトラム・アナライザ的なスキャン表示画面にバーを設定することで、使用者が現在の電波状況を確認しながら、自動メモリしたい受信信号強度を視覚的に決定することのできる無線通信機を提供することが可能である。
【図面の簡単な説明】
【図１】本発明による無線通信機の実施の形態を示す機能ブロック図。
【図２】本発明の実施の形態を説明する動作フローチャート。
【図３】本発明による無線通信機の表示部の画面状態を表す図。
【図４】従来の無線通信機の自動メモリを説明する動作フローチャート。
【符号の説明】
１２  制御部
１４  フラッシュメモリ
１６  ＲＡＭ
２２  表示部
２４  キー操作部
【図１】
0003806622.tif 000002
【図２】
0003806622.tif 000003
【図３】
0003806622.tif 000004
【図４】
0003806622.tif 000005